(57)【要約】【課題】本発明は、ＡＣアダプタ等の定格電流が異なる直流電源供給源を有効に利用して二次電池に充電する。【解決手段】複合装置１は、その電源供給部３０が、ＡＣアダプタ５０がＤＣジャックＩ／Ｆ１２に取り付けられると、切替／分流回路３２が検出し、ＡＣアダプタ定格検出回路３４がＡＣアダプタ５０の定格電流を検出する。ＣＰＵ２１が、複合装置１の動作モードで必要な動作電流を抽出し、定格電流から動作電流を減算した電流を充電電流として、切替／分流回路３２に通知する。切替／分流回路３２は、ＡＣアダプタ５０からの直流電流のうち、通知された充電電流を充電回路３３に、その他をＤＣ／ＤＣコンバータ３６、３７へ供給する。充電回路３３は、充電電流によって二次電池１０、予備二次電池４１を充電し、ＤＣ／ＤＣコンバータ３６、３７は、動作電流を生成して、制御基板２０へ供給する。【選択図】          図１
2014217242.tif 000002
【特許請求の範囲】
【請求項１】
装置に対して該装置の動作状態に応じた動作電源電力を供給する電源供給装置であって、
直流電源電力源が取り外し可能に接続される電源接続端子と、
前記電源接続端子に直流電源電力源が接続されているか否かを検出する検出手段と、
前記電源接続端子に接続されている前記直流電源電力源の定格電流を検出する定格電流検出手段と、
前記電源接続端子に接続されている前記直流電源電力源からの直流電源電力を、充電用電力として、二次電池の充電電力に変換して該二次電池に供給する充電手段と、
前記電源接続端子に接続されている前記直流電源電力源からの直流電源電力または前記二次電池からの電池電源電力を、前記動作電源電力に変換して前記装置に供給する動作電源電力供給手段と、
前記装置の動作状態に基づいて、該動作を該装置が実行するのに必要な動作電源電力量を求める動作電源電力量抽出手段と、
前記直流電源電力源が非接続状態であることを前記検出手段が検出していると、前記二次電池からの電池電源電力を、前記動作電源電力供給手段へ供給し、該直流電源電力源が接続状態であることを該検出手段が検出すると、該直流電源電力源からの直流電源電力から前記動作電源電力量の電源電力に該動作電源電力供給手段に変換させるとともに、前記定格電流検出手段の検出する前記定格電流から該動作電源電力量の電源電力に変換するのに必要な動作電流を減算した電流を充電用電流として該充電用電流に応じた充電用電力を前記充電手段に供給する切替手段と、
を備えていることを特徴とする電源供給装置。
【請求項２】
前記動作電源電力量抽出手段は、
前記装置の周囲温度に応じて駆動／停止されて該装置の冷却を行う冷却手段の駆動に必要な冷却電力量を、該冷却手段の駆動状況に応じて、加減算して前記動作電源電力量を算出することを特徴とする請求項１記載の電源供給装置。
【請求項３】
前記電源供給装置は、
前記二次電池の充電量を検出する充電量検出手段と、
前記充電量検出手段の検出結果及び前記充電手段による前記二次電池への充電電力量に基づいて、該二次電池を所定の充電量まで充電するのに要する充電所要時間を算出する充電所要時間算出手段と、
前記充電量検出手段の検出する前記充電量及び前記充電所要時間を通知する通知手段と、
を備えていることを特徴とする請求項１または請求項２記載の電源供給装置。
【請求項４】
前記電源供給装置は、
前記充電量と前記充電所要時間のうち少なくともいずれかに基づいて前記装置の動作状態のうち、動作電源電力量が所定量を超える動作状態への移行の禁止を該装置に要求する動作移行禁止要求手段を、さらに備えていることを特徴とする請求項１から請求項３のいずれかに記載の電源供給装置。
【請求項５】
電源接続端子へ取り外し可能に接続される直流電源電力源によって充電される二次電池からの電池電源電力と該直流電源電力源からの直流電源電力を電源供給部で選択的に動作電源電力として利用して、画像処理動作を行う画像処理装置であって、
前記電源供給部として、請求項１から請求項４のいずれかに記載の電源供給装置を搭載していることを特徴とする画像処理装置。
【請求項６】
前記画像処理装置は、
前記動作電源電力を利用して被記録媒体に各種印字品質、各種画素数の画像を印刷出力する印刷手段を備え、
前記電源供給部は、
前記動作電源電力量抽出手段が、
前記印刷手段による前記印字品質、前記画素数に基づいて前記動作電源電力量を抽出することを特徴とする請求項５記載の画像処理装置。
【請求項７】
前記電源供給部は、
前記充電量と前記充電所要時間のうち少なくともいずれかに基づいて、前記画像処理装置の動作状態のうち、動作電源電力量が所定量を超える動作状態への移行の禁止を要求する動作移行禁止要求手段を備え、
前記画像処理装置は、
前記電源供給部の前記動作移行禁止要求手段から移行禁止要求のあった動作状態への移行を禁止する動作制御手段を、備えていることを特徴とする請求項５または請求項６記載の画像処理装置。
【請求項８】
装置に対して該装置の動作状態に応じた動作電源電力を供給する電源供給装置における電源供給方法であって、
直流電源電力源が取り外し可能に接続される電源接続端子に、該直流電源電力源が接続されているか否かを検出する検出処理ステップと、
前記電源接続端子に接続されている前記直流電源電力源の定格電流を検出する定格電流検出処理ステップと、
前記電源接続端子に接続されている前記直流電源電力源からの直流電源電力を、充電用電力として、二次電池の充電電力に変換して該二次電池に供給する充電処理ステップと、
前記電源接続端子に接続されている前記直流電源電力源からの直流電源電力または前記二次電池からの電池電源電力を、前記動作電源電力に変換して前記装置に供給する動作電源電力供給処理ステップと、
前記装置の動作状態に基づいて、該動作を該装置が実行するのに必要な動作電源電力量を求める動作電源電力量抽出処理ステップと、
前記直流電源電力源が非接続状態であることを前記検出処理ステップで検出されていると、前記二次電池からの電池電源電力を、前記動作電源電力供給処理ステップへ供給し、該直流電源電力源が接続状態であることを該検出処理ステップで検出されると、該直流電源電力源からの直流電源電力から前記動作電源電力量の電源電力に該動作電源電力供給処理ステップで変換させるとともに、前記定格電流検出処理ステップで検出される前記定格電流から該動作電源電力量の電源電力に変換するのに必要な動作電流を減算した電流を充電用電流として該充電用電流に応じた充電用電力を前記充電処理ステップに供給する切替処理ステップと、
を有していることを特徴とする電源供給方法。
【発明の詳細な説明】
【技術分野】
【０００１】
本発明は、電源供給装置、画像処理装置及び電源供給方法に関し、詳細には、ＡＣアダプタ等の定格電流が異なる直流電源電力源を有効に利用して二次電池に充電する電源供給装置、画像処理装置及び電源供給方法に関する。
【背景技術】
【０００２】
二次電池を搭載し、該二次電池の電源電力を利用して画像処理動作を行う画像処理装置、例えば、電池駆動プリンタ装置等がある。
【０００３】
このような電池駆動画像処理装置は、二次電池の蓄電電力（電池電源電力）を動作電力として駆動する場合と、ＡＣアダプタからの外部直流電源電力を動作電力として駆動する場合とがある。
【０００４】
このような電池駆動画像処理装置は、その電源供給部に、充電回路を搭載しており、ＡＣアダプタが接続されると、充電回路によって二次電池を充電する。
【０００５】
また、電池駆動画像処理装置は、ＡＣアダプタからの外部直流電源電力が供給されている状態で、動作が可能となっており、この場合、該外部直流電源電力を動作電力として動作する。この場合、電池駆動画像処理装置の電源供給部は、ＡＣアダプタの定格電流と動作電力との差分を、充電電力として利用して二次電池を充電する。そして、従来、画像処理装置は、予め利用するＡＣアダプタが設定されており、そのＡＣアダプタの定格電流値によって、充電電流を設定している。
【０００６】
ＡＣアダプタで、電池駆動画像処理装置の二次電池を充電（チャージ）するタイミングとしては、従来、電源オフのとき、または、省電力モードで駆動しているときが採用されている。
【０００７】
ところが、電池駆動画像処理装置は、停電時や充電不可能な場所での駆動を可能として、駆動性能を向上させるためには、充電タイミングを増やして二次電池の残量を多くしておく必要がある。
【０００８】
そして、電池駆動装置の駆動状態における二次電池への充電に関して、従来、装置の駆動に必要な電流値を予め、必要駆動電流データとして設定し、（ＡＣアダプタの定格電流）−（必要駆動電流データ）＝（二次電池への充電電流）となるように二次電池への充電電流を制限している（特許文献１参照）。
【０００９】
すなわち、この従来技術は、ＡＣアダプタの定格電流と、必要駆動電流と、が予め設定されていて、その差分の電流を二次電池への充電電流としている。
【発明の概要】
【発明が解決しようとする課題】
【００１０】
しかしながら、上記公報記載の従来技術にあっては、ＡＣアダプタの定格電流から必要駆動電流を差し引いた残りの電流を、充電電流としているため、定格電流の異なるＡＣアダプタから外部直流電源電力が供給される場合には、充電効率が悪い場合があった。
【００１１】
すなわち、従来技術は、図１１に示すように、予め定格電流値の分かっているＡＣアダプタを用いることを前提として、該ＡＣアダプタの定格電流値を設定定格電流値とし、該設定定格電流値と動作電流値との差分を、充電電流値として、その電流値の電流を充電電流として利用している。この動作電流は、電源供給部の適用される装置、例えば、画像処理装置の動作状態によって、図１１に示すように変化し、図１１では、電源オフ状態、初期動作状態、スタンバイ状態、印刷中状態、省電力モード状態で動作電流が変化している。
【００１２】
そして、各動作状態において、ＡＣアダプタからの外部直流電源電力によって二次電池を充電する場合、常に同じＡＣアダプタを利用していると、予め設定した充電電流値の充電電流で二次電池を充電することができる。
【００１３】
ところが、図１１にＡＣアダプタとして、定格電流が、設定定格電流よりも大きいＡＣアダプタを用いた場合、従来技術にあっては、設定定格電流よりも大きい定格電流を供給できるにも関わらず、充電電流として設定定格電流と動作電流との差分のみしか利用することができない。
【００１４】
したがって、図１１に示す未使用電流分が無駄となっており、充電効率が悪いという問題があった。
【００１５】
そこで、本発明は、供給される外部直流電源電力の定格電流を有効に利用して、二次電池を効率的に充電することを目的としている。
【課題を解決するための手段】
【００１６】
上記目的を達成するために、請求項１記載の電源供給装置は、装置に対して該装置の動作状態に応じた動作電源電力を供給する電源供給装置であって、直流電源電力源が取り外し可能に接続される電源接続端子と、前記電源接続端子に直流電源電力源が接続されているか否かを検出する検出手段と、前記電源接続端子に接続されている前記直流電源電力源の定格電流を検出する定格電流検出手段と、前記電源接続端子に接続されている前記直流電源電力源からの直流電源電力を、充電用電力として、二次電池の充電電力に変換して該二次電池に供給する充電手段と、前記電源接続端子に接続されている前記直流電源電力源からの直流電源電力または前記二次電池からの電池電源電力を、前記動作電源電力に変換して前記装置に供給する動作電源電力供給手段と、前記装置の動作状態に基づいて、該動作を該装置が実行するのに必要な動作電源電力量を求める動作電源電力量抽出手段と、前記直流電源電力源が非接続状態であることを前記検出手段が検出していると、前記二次電池からの電池電源電力を、前記動作電源電力供給手段へ供給し、該直流電源電力源が接続状態であることを該検出手段が検出すると、該直流電源電力源からの直流電源電力から前記動作電源電力量の電源電力に該動作電源電力供給手段に変換させるとともに、前記定格電流検出手段の検出する前記定格電流から該動作電源電力量の電源電力に変換するのに必要な動作電流を減算した電流を充電用電流として該充電用電流に応じた充電用電力を前記充電手段に供給する切替手段と、を備えていることを特徴としている。
【発明の効果】
【００１７】
本発明によれば、供給される外部直流電源電力の定格電流を有効に利用して、二次電池を効率的に充電することができる。
【図面の簡単な説明】
【００１８】
【図１】本発明の第１実施例を適用した複合装置の外観斜視図。
【図２】複合装置の要部回路ブロック図。
【図３】ＡＣアダプタ定格電流値検出処理を示すフローチャート。
【図４】充電制御処理を示すフローチャート。
【図５】充電制御処理の説明図。
【図６】充電量通知を行う複合装置の要部回路ブロック図。
【図７】第２実施例の複合装置における要部回路ブロック図。
【図８】冷却部の駆動を考慮した充電制御処理を示すフローチャート。
【図９】第３実施例の複合装置における要部回路ブロック図。
【図１０】第４実施例の複合装置における要部回路ブロック図。
【図１１】従来の充電電流制御の説明図。
【発明を実施するための形態】
【００１９】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２０】
図１〜図６は、本発明の電源供給装置、画像処理装置及び電源供給方法の第１実施例を示す図であり、図１は、本発明の電源供給装置、画像処理装置及び電源供給方法の第１実施例を適用した複合装置１の外観斜視図である。
【００２１】
図１において、複合装置（画像処理装置）１は、本体筐体２の上部に、スキャナ部３が配設され、本体筐体２内に、プリンタ部４、給紙部５及び排紙部６等が設けられている。また、複合装置１は、本体筐体２の上部前面に、操作表示部７が設けられており、操作表示部７には、各種キーが設けられているとともに、ディスプレイ（通知手段）８が設けられている。
【００２２】
スキャナ部３としては、例えば、光電変換素子としてＣＣＤ(Charge Coupled Device)またはＣＭＯＳ（Complementary Metal Oxide Semiconductor ）を用いたスキャナが用いられており、原稿を走査して、該原稿の画像を読み取る。プリンタ部４は、例えば、インクジェット方式のプリンタ等が用いられている。プリンタ部４は、スキャナ部３の読み取った原稿の画像データや外部の端末機器、例えば、コンピュータ等から有線または無線のネットワークを介して送信されてきた画像データに基づいて、給紙部５から送られてきた用紙に画像を形成して、排紙部６へ排出する。
【００２３】
複合装置１は、本体筐体２の前面側に、開閉カバー９が設けられており、開閉カバー９の本体筐体２内には、二次電池１０が取り替え可能な状態で収納されている。
【００２４】
複合装置１は、本体筐体２の前面であって、開閉カバー９よりも上部には、二次電池１０の充電量を表示する充電量通知部１１が設けられており、開閉カバー９よりも下部には、ＵＳＢ（Universal Serial Bus）コネクタ１２が設けられている。
【００２５】
充電量通知部（通知手段）１１は、例えば、複数のＬＥＤ（Light Emitting Diode）が横方向に並べて配設されており、該ＬＥＤの点灯数等によって、二次電池１０の充電量を通知する。
【００２６】
なお、複合装置１は、本体筐体２の裏面に、ＤＣジャックＩ／Ｆ（インターフェイス）１２が設けられている。
【００２７】
複合装置１は、その回路ブロックの要部が、図２に示すように構成されており、制御基板２０と電源供給部（電源供給装置）３０及び図示しない上記スキャナ部３、プリンタ部４、給紙部５、排紙部６、操作表示部７等を備えている。
【００２８】
制御基板２０は、制御部２１及び記憶部２２等が搭載されており、記憶部２２は、プログラムやシステムデータ及び本発明の電源供給方法を実行するのに必要な各種データ等が格納されている。記憶部２２は、特に、本発明の充電制御方法を実行する充電制御プログラムを記憶している。
【００２９】
制御部（動作電源電力量抽出手段、充電所要時間算出手段、動作移行禁止要求手段、動作制御手段）２１は、記憶部２２内のプログラムに基づいて、複合装置１の各部を制御して、複合装置１としての基本動作処理を実行するとともに、本発明の電源供給方法を実行する。
【００３０】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の充電制御方法を実行する充電制御プログラムを読み込んで記憶部２２に導入することで、定格電流値のことなる外部電源電流源であるＡＣアダプタ５０が接続されても、効率的に充電を行う充電制御方法を実行する電源供給部３０を搭載している画像処理装置として構築されている。この充電制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３１】
電源供給部３０は、電源供給基板３１上に、上記ＤＣジャックＩ／Ｆ１３、切替／分流回路３２、充電回路３３、ＡＣアダプタ定格検出回路３４、二次電池Ｉ／Ｆ３５、ＤＣ／ＤＣコンバータ３６、３７、制御基板Ｉ／Ｆ３８、残量検知回路３９、予備二次電池Ｉ／Ｆ４０及び上記ＵＳＢコネクタ１２等が設けられている。
【００３２】
ＤＣジャックＩ／Ｆ（電源接続端子）１３には、ＡＣアダプタ（直流電源電力源）５０のコード５０ａの先端に設けられているコネクタが挿入される。ＡＣアダプタ５０は、その他方のコード５０ｂの先端に、ＡＣ１００Ｖの商用電源電力のコンセントに挿入されるプラグ５０ｃが接続されている。
【００３３】
二次電池Ｉ／Ｆ３５は、上記二次電池１０が離接可能に接続され、また、充電回路３３、切替／分流回路３２及び残量検知回路３９に接続されている。
【００３４】
予備二次電池Ｉ／Ｆ４０は、予備二次電池（二次電池）４１が離接可能に接続され、また、充電回路３３、切替／分流回路３２及び残量検知回路３９に接続されている。
【００３５】
切替／分流回路（検出手段、切替手段）３２は、ＤＣ／ＤＣコンバータ３６、３７に接続されているとともに、ＤＣジャックＩ／Ｆ１３と二次電池Ｉ／Ｆ３５及び予備二次電池Ｉ／Ｆ４０に接続されている。切替／分流回路３２は、ＤＣジャックＩ／Ｆ１３へのＡＣアダプタ５０のコネクタの挿入／非挿入状態を検出し、ＤＣ／ＤＣコンバータ３６、３７への直流電源電力の供給源を、ＤＣジャックＩ／Ｆ１３と二次電池Ｉ／Ｆ３５、４０とに切り替える。また、切替／分流回路３２は、制御部２１からの制御信号に基づいて、充電回路３３への供給電流量を制御する。
【００３６】
充電回路（充電手段）３３は、ＤＣジャックＩ／Ｆ１３から切替／分流回路３２によって制御された電流量の直流電源電力が供給され、二次電池Ｉ／Ｆ３５を介して二次電池１０を充電し、また、予備二次電池Ｉ／Ｆ４０を介して予備二次電池４１を充電する。
【００３７】
二次電池１０は、例えば、リチウムイオン電池等が用いられており、予備二次電池４１は、例えば、鉛蓄電池、ニッケル水素電池等が用いられている。
【００３８】
ＡＣアダプタ定格検出回路（定格電流検出手段）３４は、ＤＣジャックＩ／Ｆ１３に接続されており、ＤＣジャックＩ／Ｆ１３に接続されているＡＣアダプタ５０の定格電流を検出して、検出した定格電流値を制御基板Ｉ／Ｆ３８を介して制御部２１へ出力する。制御部２１は、ＡＣアダプタ定格検出回路３４の検出したＡＣアダプタ５０の定格電流を記憶部２２に記憶させる。
【００３９】
制御基板Ｉ／Ｆ３８は、上記制御基板２０に接続されるとともに、ＤＣ／ＤＣコンバータ３６、３７、ＡＣアダプタ定格検出回路３４、切替／分流回路３２及び残量検知回路３９が接続されている。制御基板Ｉ／Ｆ３８は、ＤＣ／ＤＣコンバータ３６、３７からの直流電源電力を制御基板２０へ供給し、また、ＡＣアダプタ定格検出回路３４、切替／分流回路３２及び残量検知回路３９と制御部２１との間の信号の授受を行う。
【００４０】
残量検知回路（充電量検出手段）３９は、二次電池１０及び予備二次電池４１の電圧値を検出することで、蓄電電力の電力残量を検知し、検知電力残量を、制御基板Ｉ／Ｆ３８を介して制御基板２０の制御部２１に出力する。
【００４１】
ＤＣ／ＤＣコンバータ（動作電源電力供給手段）３６は、切替／分流回路３２を介して供給される直流電源を、ＤＣ／ＤＣ変換して、制御基板Ｉ／Ｆ３８を介して制御基板２０へ供給し、また、ＵＳＢコネクタ１２へ供給する。
【００４２】
ＤＣ／ＤＣコンバータ（動作電源電力供給手段）３７は、切替／分流回路３２を介して供給される直流電源を、ＤＣ／ＤＣ変換して、制御基板Ｉ／Ｆ３８を介して制御基板２０へ供給する。
【００４３】
ＵＳＢコネクタ１２には、電子機器４２のＵＳＢコネクタが着脱可能に装着され、電子機器４２にＵＳＢ電源電力を供給する。このＵＳＢコネクタ１２に接続される電子機器は、ＵＳＢ接続される電子機器４２であれば、適宜の電子機器４２が適用され、例えば、スマートフォン等である。すなわち、電源供給部３０は、ＵＳＢコネクタ１２を介して、電子機器４２にＵＳＢ電源電力を供給して、電子機器４２を動作させたり、電子機器４２の内蔵電池を充電する。
【００４４】
次に、本実施例の作用を説明する。本実施例の複合装置１は、二次電池１０の供給する直流電源電力を動作電流として、例えば、電源オフ状態、電源オンされて初期動作を行う初期動作状態、動作要求があるまでの待ち状態（スタンバイ状態）、原稿の画像を読み取るスキャナ動作状態、画像データに基づいて画像を用紙に印刷出力する印刷動作状態、スタンバイ状態が予め設定されている待ち時間連続することで、消費電力を削減する省電力モード状態等の各種動作を行う。
【００４５】
そして、複合装置１は、制御基板２０の記憶部２２に各動作状態において必要な動作電流値が予め記憶されている。複合装置１は、上記ＡＣアダプタ５０の定格電流値の検出処理を、図３に示すように行う。
【００４６】
すなわち、複合装置１は、図３に示すように、ＡＣアダプタ５０のコネクタがＤＣジャックＩ／Ｆ１３に挿入されると（ステップＳ１０１）、切替／分流回路３２がＡＣアダプタ５０のコネクタがＤＣジャックＩ／Ｆ１３に挿入されたことを検出する（ステップＳ１０２）。切替／分流回路３２は、ＡＣアダプタ５０のコネクタがＤＣジャックＩ／Ｆ１３に挿入されたことを示す挿入検出信号を、制御基板Ｉ／Ｆ３８を介して制御基板２０に送信する（ステップＳ１０３）。
【００４７】
制御部２１は、挿入検出信号が入力されると、制御基板Ｉ／Ｆ３８を介してＡＣアダプタ定格検出回路３４を駆動し、ＡＣアダプタ５０の定格電流値を検出させる（ステップＳ１０４）。
【００４８】
ＡＣアダプタ定格検出回路３４は、ＡＣアダプタ５０の定格電流値を検出すると、検出した定格電流値を信号として制御基板Ｉ／Ｆ３８を介して制御部２１へ送信する（ステップＳ１０５）。
【００４９】
制御部２１は、定格電流値が送られてくると、該定格電流値を記憶部２２に記憶させて、ＡＣアダプタ定格電流値検出処理を終了する（ステップＳ１０６）。
【００５０】
複合装置１は、上述のようにしてＡＣアダプタ定格電流値が記憶部２２に格納されている状態で、上述のような各種画像処理動作を開始すると、その画像処理動作を正常に動作させつつ、可能な限り大きな充電電流値の充電電流を確保する充電制御処理を行う。
【００５１】
すなわち、複合装置１は、図４に示すように、上記電源オフ状態、初期動作状態、スタンバイ状態、スキャナ動作状態、印刷動作状態、省電力モード状態等の各種動作のうち、適宜の動作モードＡが開始されると（ステップＳ２０１）、制御部２１が、該動作モードＡに移行することを検出する（ステップＳ２０２）。
【００５２】
制御部２１は、記憶部２２から動作モードＡで必要な動作電流値と、ＡＣアダプタ５０の定格電流値を読み出す（ステップＳ２０３）。
【００５３】
制御部２１は、ＡＣアダプタ５０の定格電流値から動作モードＡで必要な動作電流値を減算することで、充電電流値を算出（（定格電流値）−（動作モードＡで必要な動作電流値）＝（充電電流値））する（ステップＳ２０４）。
【００５４】
制御部２１は、算出した充電電流値をデータとして、制御基板Ｉ／Ｆ３８を介して切替／分流回路３２へ送信する（ステップＳ２０５）。
【００５５】
切替／分流回路３２は、制御部２１から送られてきた充電電流値に基づいて、充電回路３３へ流す電流値を決定して該電流値の電流を充電回路３３へ流し、その他の電流をＤＣ／ＤＣコンバータ３６、３７へ流すという電流分流処理を行う（ステップＳ２０６）。
【００５６】
複合装置１は、上記電流配分の状態で動作モードＡの動作を行って、動作が終了すると（ステップＳ２０７）、次の動作モードＢを開始する（ステップＳ２０８）。
【００５７】
制御部２１は、動作モードＢに移行すると、該動作モードＢに移行したことを検出し（ステップＳ２０９）、以降、上記同様に充電制御処理を行う。
【００５８】
したがって、複合装置１は、図５に示すように、動作状態に応じて変化する動作電流値と、ＤＣジャックＩ／Ｆ１３に挿入されているＡＣアダプタ５０の定格電流値との差分の電流を、二次電池１０や予備二次電池４１に供給する充電電流とすることができる。そして、図１１に示した従来の充電電流制御のように、予め設定されているＡＣアダプタ５０の定格電流のみで充電電流値を決定することがない。その結果、ＡＣアダプタ５０が異なる場合であっても、実際に複合装置１に接続されているＡＣアダプタ５０の定格電流と動作電流との差分を動作電流とすることができ、ＡＣアダプタ５０から供給される電源電力を、適切に複合装置１に動作を行わせつつ、効率的に充電電力に利用することができる。
【００５９】
なお、複合装置１は、二次電池１０及び予備二次電池４１の充電量を、図６に示すように、充電量通知部１１を利用して通知することができる。すなわち、複合装置１は、電源供給部３０の残量検知回路３９が二次電池１０及び予備二次電池４１の充電量を、その電圧値を検出することで検知しており、検知結果の充電量を制御基板Ｉ／Ｆ３８を介して制御部２１に出力する。
【００６０】
制御部２１は、残量検知回路３９の検出した充電量に基づいて、充電量通知部１１のＬＥＤの点灯駆動を制御して、充電量をＬＥＤの点灯数によって通知する。例えば、充電量通知部１１にＬＥＤが５個設けられていると、制御部２１は、充電量を満充電から空充電までを５段階に分類して、通知された充電量が５段階のどの段階に属するか判断し、ＬＥＤの点灯数を決定して、点灯駆動制御する。
【００６１】
なお、この充電量の通知は、上記充電量通知部１１を利用して通知する方法に限るものではなく、例えば、操作表示部７のディスプレイ８に充電量を適宜の表示方法で表示出力することで、通知してもよい。また、複合装置１に、ＬＡＮ（Local Area Network）等のネットワークを介して、複合装置１に対して印刷要求等の動作要求を行うコンピュータ等の端末機器が接続されているときには、該端末機器に対して充電量をデータ通信によって送信して通知してもよい。
【００６２】
さらに、制御部２１は、この充電量の通知に加えて、現在の充電電流と充電量から満充電、あるいは、適宜の充電量までに要する充電所要時間を算出して、算出した充電所要時間をディスプレイ８に表示したり、情報処理装置に送信して通知するようにしてもよい。
【００６３】
このようにすると、ユーザが満充電や所定の充電量まで充電されるのに必要な充電時間を知ることができ、利用性を向上させることができる。
【００６４】
このように、本実施例の複合装置１は、その電源供給部３０が、装置である複合装置１に対して該複合装置１の動作状態に応じた動作電源電力を供給する電源供給装置であって、直流電源電力源であるＡＣアダプタ５０が取り外し可能に接続されるＤＣジャックＩ／Ｆ（電源接続端子）１２と、ＤＣジャックＩ／Ｆ１２にＡＣアダプタ５０が接続されているか否かを検出する切替／分流回路（検出手段）３２と、ＤＣジャックＩ／Ｆ１２に接続されているＡＣアダプタ５０の定格電流を検出するＡＣアダプタ定格検出回路（定格電流検出手段）３４と、ＤＣジャックＩ／Ｆ１２に接続されているＡＣアダプタ５０からの直流電源電力を、充電用電力として、二次電池１０、予備二次電池４１の充電電力に変換して該二次電池１０、予備二次電池４１に供給する充電回路（充電手段）３３と、ＤＣジャックＩ／Ｆ１２に接続されているＡＣアダプタ５０からの直流電源電力または二次電池１０、予備二次電池４１からの電池電源電力を、前記動作電源電力に変換して複合装置１に供給するＤＣ／ＤＣコンバータ（動作電源電力供給手段）３６、３７と、複合装置１の動作状態に基づいて、該動作を該複合装置１が実行するのに必要な動作電源電力量を求める制御部（動作電源電力量抽出手段）２１と、ＡＣアダプタ５０が非接続状態であることを切替／分流回路３２が検出していると、二次電池１０、予備二次電池４１からの電池電源電力を、ＤＣ／ＤＣコンバータ３６、３７へ供給し、該ＡＣアダプタ５０が接続状態であることを切替／分流回路３２が検出すると、該ＡＣアダプタ５０からの直流電源電力から前記動作電源電力量の電源電力にＤＣ／ＤＣコンバータ３６、３７に変換させるとともに、ＡＣアダプタ定格検出回路３４の検出する前記定格電流から該動作電源電力量の電源電力に変換するのに必要な動作電流を減算した電流を充電用電流として該充電用電流に応じた充電用電力を充電回路３３に供給する切替／分溜回路（切替手段）３２と、を備えている。
【００６５】
したがって、定格電流の異なるＡＣアダプタ５０が接続されても、そのＡＣアダプタ５０の定格電流を有効に利用して、二次電池１０、予備二次電池４１を効率的に充電することができる。
【００６６】
また、本実施例の複合装置１の電源供給部３０は、前記二次電池１０、予備二次電池４１の充電量を検出する残量検知回路（充電量検出手段）３９と、残量検知回路３９の検出結果及び充電回路３３による二次電池１０、予備二次電池４１への充電電力量に基づいて、該二次電池１０、予備二次電池４１を所定の充電量まで充電するのに要する充電所要時間を算出する制御部（充電所要時間算出手段）２１と、残量検知回路３９の検出する前記充電量及び前記充電所要時間を通知する充電量通知部１１、ディスプレイ８等からなる通知手段と、を備えている。
【００６７】
したがって、二次電池１０、予備二次電池４１の充電状態や充電にかかる時間等をユーザが知ることができ、利用性を向上させることができる。
【００６８】
さらに、本実施例の複合装置１は、画像処理動作を行うのに際して、電源接続端子であるＤＣジャックＩ／Ｆ１２へ取り外し可能に接続されるＡＣアダプタ５０によって充電される二次電池１０、予備二次電池４１からの電池電源電力と該ＡＣアダプタ５０からの直流電源電力を電源供給部３０で選択的に動作電源電力として利用して、動作している。
【００６９】
したがって、定格電流の異なるＡＣアダプタ５０が接続されても、そのＡＣアダプタ５０の定格電流を有効に利用して、二次電池１０、予備二次電池４１を効率的に充電することができる。
【実施例２】
【００７０】
図７及び図８は、本発明の電源供給装置、画像処理装置及び電源供給方法の第２実施例を示す図であり、図７は、本発明の電源供給装置、画像処理装置及び電源供給方法の第２実施例を適用した複合装置６０の要部回路ブロック図である。
【００７１】
なお、本実施例は、上記第１実施例の複合装置１と同様の複合装置に適用したものであり、本実施例の説明においては、第１実施例と同様の構成部分には、同一の符号を付与してその説明を省略する。また、図示しない部分についても、必要に応じて、第１実施例で用いた符号を用いて説明する。
【００７２】
図７において、複合装置（画像処理装置）６０は、第１実施例と同様の電源供給部３０を備えているとともに、制御基板７０を備えている。制御基板７０には、第１実施例と同様の制御部２１、記憶部２２が搭載されているとともに、温度検出部７１と冷却部７２が搭載されている。
【００７３】
温度検出部７１は、通常の温度センサ用いられており、制御基板７０上や制御基板７０の周囲の温度を検出して、検出温度を制御部２１に出力する。温度検出部７１と制御部２１との検出温度の通信は、シリアル通信またはパラレル通信を用いる。
【００７４】
冷却部（冷却手段）７２は、例えば、冷却ファン等であり、駆動されることで冷却風を、制御基板７０上の高温になりやすい部分、例えば、制御部２１の周囲等に送り込む。冷却部７２は、一般的に、その駆動に大きな電力を必要とする。
【００７５】
記憶部２２は、上記第１実施例と同様のプログラムやデータを格納しており、特に、冷却部７２の駆動制御に必要な冷却駆動制御データとそのプログラム及び該冷却部７２の駆動による変動を考慮した動作電流値を格納している。
【００７６】
制御部２１は、温度検出部７１からの検出温度に基づいて、記憶部２２のデータを参照して、冷却部７２の駆動制御を行うとともに、該冷却部７２の駆動制御に応じて、複合装置６０の動作状態を設定して、冷却部７２の駆動制御を考慮した充電制御を行う。
【００７７】
すなわち、本実施例の複合装置６０は、図８に示すように、温度検出部７１が周囲温度を検出して検出温度信号として、制御部２１へ出力する（ステップＳ３０１）。
【００７８】
制御部２１は、温度検出部７１から入力される検出温度（周囲温度）が、冷却部７２を駆動する温度として予め設定されて記憶部２２に格納されている冷却温度以上であるかチェックする（ステップＳ３０２）。
【００７９】
ステップＳ３０２で、検出温度が冷却温度以上であると（ステップＳ３０２で、ＹＥＳのとき）、制御部２１は、ステップＳ３０１に戻って、所定時間間隔毎に温度検出部７１からの検出温度を取得する処理から同様に処理する（ステップＳ３０１、Ｓ３０２）。制御部２１は、このとき、冷却部７２を駆動させて、冷却を行いつつ、動作処理を行っている。そして、このときの充電電流値は、上記第１実施例の場合の各動作状態での充電電流から、冷却部７２を駆動させるのに必要な駆動電流値を減算した電流値である。
【００８０】
ステップＳ３０２で、検出温度が冷却温度未満であると（ステップＳ３０２で、ＮＯのとき）、制御部２１は、冷却部７２の駆動を停止させ（ステップＳ３０３）、冷却部７２の駆動停止を考慮した充電電流値を算出する（ステップＳ３０４）。すなわち、制御部２１は、（現在の充電電流値）＋（冷却の駆動電流値）＝（充電電流値）として、充電電流値を算出する。ここで、現在の充電電流値は、上記第１実施例で示した動作モードに応じて制御部２１が算出した充電電流値に駆動電流を加算した電流値であり、冷却の駆動電流は、記憶部２２に格納されている冷却部７２を駆動するのに要する電流値である。
【００８１】
制御部２１は、算出した駆動電流値を、制御基板Ｉ／Ｆ３８を介して切替／分流回路３２へデータとして送信する（ステップＳ３０５）。
【００８２】
切替／分流回路３２は、制御部２１から送られてきた充電電流値に基づいて、充電回路３３へ流す電流値を決定して該電流値の電流を充電回路３３へ流し、その他の電流をＤＣ／ＤＣコンバータ３６、３７へ流すという電流分流処理を行う（ステップＳ３０６）。
【００８３】
このように、本実施例の複合装置６０は、その電源供給部３０の動作電源電力量抽出手段としての制御部２１が、複合装置６０の周囲温度に応じて駆動／停止されて該複合装置６０の冷却を行う冷却部（冷却手段）７２の駆動に必要な冷却電力量を、該冷却部７２の駆動状況に応じて、加減算して前記動作電源電力量を算出している。
【００８４】
したがって、冷却部７２の駆動／駆動停止に応じて、二次電池１０や予備二次電池４１への充電電流値を決定することができ、複合装置６０の動作を確保しつつ、より効率的に充電することができる。
【実施例３】
【００８５】
図９は、本発明の電源供給装置、画像処理装置及び電源供給方法の第３実施例を適用した複合装置８０の要部回路ブロック図である。
【００８６】
なお、本実施例は、上記第１実施例の複合装置１と同様の複合装置に適用したものであり、本実施例の説明においては、第１実施例と同様の構成部分には、同一の符号を付与してその説明を省略する。また、図示しない部分についても、必要に応じて、第１実施例で用いた符号を用いて説明する。
【００８７】
図９において、複合装置（画像処理装置）８０は、第１実施例と同様の電源供給部３０を備えているとともに、制御基板９０を備えている。制御基板９０には、第１実施例と同様の制御部２１、記憶部２２が搭載されているとともに、通信制御部９１と駆動部９２が搭載されている。
【００８８】
通信制御部９１には、専用線、ＬＡＮ（Local Area Network）、インターネット等の通信回線が接続されており、該通信回線には、複合装置８０に印刷指示等の動作指示を行うコンピュータ等の端末機器ＴＭが接続されている。通信制御部９１は、通信回線を介して端末機器ＴＭとの間で、信号の授受を行って、印刷指示等の動作指示を受け取って制御部２１に渡すとともに、制御部２１からの各種情報を通信回線を介して端末機器ＴＭへ送信する。
【００８９】
駆動部９２は、画像処理を行うのに必要な駆動機構、例えば、印刷部等を駆動制御するものであり、例えば、電子モータを駆動するモータ駆動ＩＣ等である。
【００９０】
そして、複合装置１は、その印刷モードとして、「きれい」、「ふつう」、「速い」等の複数の印刷モードを備えており、記憶部２２には、各印刷モードにおいて必要とする動作電流値が格納されている。例えば、「きれい」モードでは、駆動部９２の動きは、上記各印刷モードのなかでは、相対的に細かく、遅い。その結果、「きれい」モードでの印刷中においける駆動部９２を駆動させるために必要な電力は、相対的に少なくてすむため、その動作に必要な動作電流値が該印刷モードに対応させて記憶部２２に格納されている。
【００９１】
そして、本実施例の複合装置１は、端末機器ＴＭから印刷要求があると、制御部２１が、該印刷要求で指定されている印刷モードを取得すると、該印刷モードに基づいて、記憶部２２から動作電流値を取得し、上述のように、充電電流値を決定する。
【００９２】
したがって、外部の端末機器ＴＭからの動作要求において指定されている動作モードに応じた動作電流値を決定して、充電電流値を決定することができる。その結果、効率的に二次電池１０及び予備二次電池４１を充電することができる。
【００９３】
また、制御部２１は、印刷要求等の動作要求が操作表示部７の操作や端末機器ＴＭからあった場合、二次電池１０や予備二次電池４１の充電量に基づいて、利用可能な動作モードを設定して、必要とされる動作電流値を制限することで、充電効率を向上させてもよい。
【００９４】
例えば、制御部２１は、二次電池１０や予備二次電池４１の充電量が、予め設定した急速充電が必要な設定充電量になると、利用可能動作モードを、例えば、上記印刷モードでは、「きれい」、「ふつう」に限定し、「速い」印刷モードの利用を制限する。
【００９５】
なお、動作状態の移行制限については、充電量に基づく場合に限るものではなく、例えば、二次電池１０や予備二次電池４１を充電するのに必要な充電所要時間に基づいて、動作状態の移行制御を行ってもっよい。
【００９６】
このようにすると、印刷動作を可能とするとともに、動作電流値を抑制して、二次電池１０や予備二次電池４１の充電電流値を大きくすることができ、利用性を向上させつつ、二次電池１０や予備二次電池４１の充電効率を向上させることができる。
【００９７】
このように、本実施例の複合装置８０は、その電源供給部３０が、前記充電量と前記充電所要時間のうち少なくともいずれかに基づいて、複合装置８０の動作状態のうち、動作電源電力量が所定量を超える動作状態、例えば、上記「速い」印刷モードへの移行の禁止を該複合装置８０に要求する制御部（動作移行禁止要求手段）２１を、さらに備えている。また、複合装置８０は、その制御部２１が、該動作状態への移行の禁止を制御する動作制御手段として機能している。
【００９８】
したがって、二次電池１０や予備二次電池４１の充電を速やかに行う必要がある場合に、複合装置８０の利用を確保しつつ、二次電池１０や予備二次電池４１の充電を速やかに行うことができ、利用性を向上させることができる。
【実施例４】
【００９９】
図１０は、本発明の電源供給装置、画像処理装置及び電源供給方法の第４実施例を適用した複合装置１００の要部回路ブロック図である。
【０１００】
なお、本実施例は、上記第１実施例の複合装置１と同様の複合装置に適用したものであり、本実施例の説明においては、第１実施例と同様の構成部分には、同一の符号を付与してその説明を省略する。また、図示しない部分についても、必要に応じて、第１実施例で用いた符号を用いて説明する。
【０１０１】
図１０において、複合装置（画像処理装置）１００は、第１実施例と同様の電源供給部３０を備えているとともに、制御基板１１０を備えている。制御基板１１０には、第１実施例と同様の制御部２１、記憶部２２が搭載されているとともに、照度検出部１１１が搭載されている。
【０１０２】
照度検出部１１１は、例えば、照度センサ等が用いられており、複合装置１００の周囲の照度を検出して、検出照度信号を制御部２１に出力する。
【０１０３】
記憶部２２は、照度値とその継続時間に基づくユーザ不在状況データが予め格納されている。
【０１０４】
制御部２１は、照度検出部１１１から入力される検出照度値とその継続時間に基づいて、記憶部２２を参照して、ユーザが複合装置１００の設置されている部屋等の複合装置１００の周囲に不在であるか否か判断する。
【０１０５】
制御部２１は、複合装置１００が動作待ちの待機状態であって、かつ、複合装置１００の周囲に、ユーザが不在であると判断すると、通常の待ち時間よりも短い短待ち時間の経過によって、省電力モードへ移行する。
【０１０６】
すなわち、複合装置１００は、例えば、電源供給部３０から主要各部への電源電力の供給を削減する省電力モードを備えている。そして、制御部２１は、待機状態が予め設定されている待ち時間経過すると、省電力モードへ移行する。ところが、本実施例の複合装置１００は、照度検出部１１１を備えており、照度検出部１１１が検出する照度がユーザが近くにいないことを示す照度以下に低下して、記憶部２２に格納されている上記待ち時間よりも短い短待ち時間が経過すると、省電力モードに移行する。したがって、ユーザによって複合装置１００が利用される可能性が低下すると、速やかに省電力モードへ移行する。
【０１０７】
そして、制御部２１は、省電力モードへ移行すると、動作電流値を、通常待機状態で必要な動作電流値から省電力モードで必要な動作電流値に削減し、該動作電流値をＡＣアダプタ定格検出回路３４の検出した定格電流値から減算した電流値を充電電流値とする。制御部２１は、充電電流値を決定すると、切替／分流回路３２に通知する。切替／分流回路３２は、上記動作電流値の削減分だけ、多くの充電電流を充電回路３３に二次電池１０や予備二次電池４１に供給させ、充電効率を向上させる。
【０１０８】
このように、本実施例の複合装置１００は、省電力モードへの移行を照度に基づいて効率的に行うことができ、二次電池１０や予備二次電池４１の充電効率を向上させることができる。
【０１０９】
なお、上記説明においては、充電電流の決定等の制御を行う充電制御部として、複合装置１、６０、８０、１００の制御部２１を利用しているが、電源供給部３０が、電源供給基板３１上に、充電制御部を搭載して、該充電制御部が充電制御を行ってもよい。
【０１１０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１１】
１  複合装置
２  本体筐体
３  スキャナ部
４  プリンタ部
５  給紙部
６  排紙部
７  操作表示部
８  ディスプレイ
９  開閉カバー
１０  二次電池
１１  充電量通知部
１２  ＵＳＢコネクタ
１３  ＤＣジャックＩ／Ｆ
１４  制御基板
１５  電源供給部
１６  制御部
１７  記憶部
２０  制御基板
２１  制御部
２２  記憶部
３０  電源供給部
３２  切替／分流回路
３３  充電回路
３４  ＡＣアダプタ定格検出回路
３５  二次電池Ｉ／Ｆ
３６、３７  ＤＣ／ＤＣコンバータ
３８  制御基板Ｉ／Ｆ
３９  残量検知回路
４０  予備二次電池Ｉ／Ｆ
４１  予備二次電池
５０  ＡＣアダプタ
５０ａ  コード
５０ｂ  コード
５０ｃ  プラグ
６０  複合装置
７０  制御基板
７１  温度検出部
７２  冷却部
９０  制御基板
９１  通信制御部
９２  駆動部
１００  複合装置
１１０  制御基板
１１１  照度検出部
【先行技術文献】
【特許文献】
【０１１２】
【特許文献１】特開平１１−０５５８６８号公報
【図１】
2014217242.tif 000003
【図２】
2014217242.tif 000004
【図３】
2014217242.tif 000005
【図４】
2014217242.tif 000006
【図５】
2014217242.tif 000007
【図６】
2014217242.tif 000008
【図７】
2014217242.tif 000009
【図８】
2014217242.tif 000010
【図９】
2014217242.tif 000011
【図１０】
2014217242.tif 000012
【図１１】
2014217242.tif 000013